(57)【要約】【課題】  コンピュータの周辺機器として使用することができるとともに、省スペース化を容易に図ることのできるスキャナ付きディスプレイを提供する。提供する。【解決手段】  コンピュータ２に接続されコンピュータ２から送出される情報を表示する表示面６ａを具備するディスプレイ本体３と、ディスプレイ本体３に装着され、表示面６ａ上を、表示面６ａの面に沿って走査可能なスキャナ４とを有しており、スキャナ４を、表示面６ａに表示されている画像情報、あるいは、表示面６ａ上に載置された読取対象物８の画像情報を読取可能に形成する。【選択図】      図１
2006098892.tif 000002
【特許請求の範囲】
【請求項１】
コンピュータに接続されコンピュータから送出される情報を表示する表示面を具備するディスプレイ本体と、
前記ディスプレイ本体に装着され、前記表示面上を、前記表示面の面に沿って走査可能なスキャナとを有しており、
前記スキャナが、前記表示面に表示されている画像情報、あるいは、前記表示面上に載置された読取対象物の画像情報を読取可能に形成されていることを特徴とするスキャナ付きディスプレイ。
【請求項２】
前記スキャナの走査方向に対して直交する読取長さが、前記表示面の少なくとも短手方向の長さより長く形成されており、
前記スキャナの走査方向が、前記表示面の長手方向に設けられていることを特徴とする請求項１に記載のスキャナ付きディスプレイ。
【請求項３】
前記表示面が、平面に形成されていることを特徴とする請求項１または請求項２に記載のスキャナ付きディスプレイ。
【請求項４】
前記スキャナが、前記ディスプレイ本体に着脱可能とされていることを特徴とする請求項１ないし請求項３のいずれか１項に記載のスキャナ付きディスプレイ。
【請求項５】
前記ディスプレイ本体に、前記表示面上に載置された読取対象物を前記表示面に固定する固定手段が設けられていることを特徴とする請求項１ないし請求項４のいずれか１項に記載のスキャナ付きディスプレイ。
【請求項６】
前記スキャナの走査方向を規制するための案内手段が設けられていることを特徴とする請求項１ないし請求項５のいずれか１項に記載のスキャナ付きディスプレイ。
【請求項７】
前記スキャナに、前記表示面と前記スキャナとの間隔を調整する間隔調整手段が設けられていることを特徴とする請求項１ないし請求項６のいずれか１項に記載のスキャナ付きディスプレイ。
【請求項８】
前記表示面の設置面とのなす角度が調節可能に形成されていることを特徴とする請求項１ないし請求項７のいずれか１項に記載のスキャナ付きディスプレイ。
【請求項９】
前記スキャナと前記コンピュータとが有線あるいは無線にて接続されており、前記スキャナと前記コンピュータとの相互間で情報の交換が有線あるいは無線よって行われるように形成されていることを特徴とする請求項１ないし請求項８のいずれか１項に記載のスキャナ付きディスプレイ。
【請求項１０】
前記スキャナが、前記表示面側に向かって光を照射するための照射手段と、
前記照射手段から照射された光であって、前記表示面、あるいは、前記表示面上に載置された読取対象物から反射した反射光により画像情報を読み取って画像データを出力する画像入力手段とを有していることを特徴とする請求項１ないし請求項９のいずれか１項に記載のスキャナ付きディスプレイ。
【請求項１１】
前記表示面が、バックライトを具備する液晶表示パネルにより形成されており、
前記スキャナが、前記バックライトから照射された光により、前記表示面の画像情報、あるいは、前記表示面上に載置された読取対象物の画像情報を読み取って画像データを出力する画像入力手段とを有していることを特徴とする請求項１ないし請求項９のいずれか１項に記載のスキャナ付きディスプレイ。
【発明の詳細な説明】
【技術分野】
【０００１】
本発明は、コンピュータの周辺機器として好適なスキャナ付きディスプレイに関する。
【背景技術】
【０００２】
従来からコンピュータ、特に、パーソナルコンピュータには、キーボード、マウス、スキャナなどの入力装置や、ディスプレイ、プリンタなどの出力装置や、バードディスクドライブ、ＭＯドライブなどの外部記憶装置などの各種の周辺機器が、使用者などの必要性などによって選択され、この選択された周辺機器をパーソナルコンピュータに接続することでシステムが構成されている。
【０００３】
この種の周辺機器のうち、原稿の画像情報を読み込むスキャナは、例えば、その平面サイズがＡ４サイズ程度の箱状に形成されており、大きな設置スペースを必要とするものである。
【０００４】
なお、コンピュータの周辺機器ではないものの、情報処理装置本体の表側にディスプレイ部、裏側にスキャナ部を設けることにより、スキャナからの情報が小型、軽量にして表示され得る、一体化されたスキャナ付きディスプレイが提案されている（例えば、特許文献１参照）。
【０００５】
【特許文献１】特開平５−１００６４５号公報
【発明の開示】
【発明が解決しようとする課題】
【０００６】
ところで、近年においては各種装置の高性能化が求められており、各種装置の高性能化の一つとして、コンピュータの周辺機器として使用することができるとともに、省スペース化を容易に図ることのできるスキャナ付きディスプレイが求められている。
【０００７】
本発明はこのような点に鑑みてなされたものであり、コンピュータの周辺機器として使用することができるとともに、省スペース化を容易に図ることのできるスキャナ付きディスプレイを提供することを目的とする。
【課題を解決するための手段】
【０００８】
前述した目的を達成するため、本発明のスキャナ付きディスプレイの特徴は、コンピュータに接続されコンピュータから送出される情報を表示する表示面を具備するディスプレイ本体と、前記ディスプレイ本体に装着され、前記表示面上を、前記表示面の面に沿って走査可能なスキャナとを有しており、前記スキャナが、前記表示面に表示されている画像情報、あるいは、前記表示面上に載置された読取対象物の画像情報を読取可能に形成されている点にある。
【０００９】
本発明のスキャナ付きディスプレイにおいては、前記スキャナの走査方向に対して直交する読取長さが、前記表示面の少なくとも短手方向の長さより長く形成されており、前記スキャナの走査方向が、前記表示面の長手方向に設けられていることが好ましい。
【００１０】
また、前記表示面が、平面に形成されていることが好ましく、さらに、前記スキャナが、前記ディスプレイ本体に着脱可能とされていることが好ましい。
【００１１】
またさらに、前記ディスプレイ本体に、前記表示面上に載置された読取対象物を前記表示面に固定する固定手段が設けられていることが好ましく、さらに、前記スキャナの走査方向を規制するための案内手段が設けられていることが好まし。
【００１２】
さらにまた、前記スキャナに、前記表示面と前記スキャナとの間隔を調整する間隔調整手段が設けられていることが好ましく、さらに、前記表示面の設置面とのなす角度が調節可能に形成されていることが好ましい。
【００１３】
また、前記スキャナと前記コンピュータとが有線あるいは無線にて接続されており、前記スキャナと前記コンピュータとの相互間で情報の交換が有線あるいは無線よって行われるように形成されていることが好ましい。
【００１４】
本発明のスキャナ付きディスプレイにおいては、前記スキャナが、前記表示面側に向かって光を照射するための照射手段と、前記照射手段から照射された光であって、前記表示面、あるいは、前記表示面上に載置された読取対象物から反射した反射光により画像情報を読み取って画像データを出力する画像入力手段とを有していることが好ましい。
【００１５】
本発明のスキャナ付きディスプレイにおいては、前記表示面が、バックライトを具備する液晶表示パネルにより形成されており、前記スキャナが、前記バックライトから照射された光により、前記表示面の画像情報、あるいは、前記表示面上に載置された読取対象物の画像情報を読み取って画像データを出力する画像入力手段とを有していることが好ましい。
【発明の効果】
【００１６】
本発明に係るスキャナ付きディスプレイによれば、コンピュータの周辺機器として使用することができるとともに、省スペース化を容易に図ることができるなどの極めて優れた効果を奏する。
【発明を実施するための最良の形態】
【００１７】
以下、本発明を図面に示す実施形態により説明する。
【００１８】
図１から図３は本発明に係るスキャナ付きディスプレイの第１実施形態の要部を示すものであり、図１は正面図、図２は図１の側面図、図３は図１の平面図である。
【００１９】
図１に示すように、本実施形態のスキャナ付きディスプレイ１は、パーソナルコンピュータなどのコンピュータ２に接続される表示部としてのディスプレイ本体３と、このディスプレイ本体３に装着された読取部としてのスキャナ４とを有している。
【００２０】
前記ディスプレイ本体３は、コンピュータ２から送出される情報の表示を行うためのものであり、図１の手前側が利用者が情報の表示を外部から視認可能な正面側ＦＳとされており、図１の奥側が正面側ＦＳの反対側となる背面側ＲＳとされている。
【００２１】
図１から図３に示すように、ディスプレイ本体３は、正面横長のほぼ直方体状に形成されたディスプレイケース５を備えており、ディスプレイケース５の正面側ＦＳには、コンピュータ２から送出される情報を表示するための表示手段６の表示面（画面）６ａが外部から視認可能に配設されている。この表示手段６は、ディスプレイケース５の内部に配設された図示しない支持フレームに取着されており、その表示面６ａは、ディスプレイケース５の正面側ＦＳに凹設されている。また、表示面６ａは、正面横長の矩形状に形成されているともに、その表面は、平坦な平面とされている。
【００２２】
すなわち、ディスプレイケース５の正面側ＦＳは、表示面６ａの周囲を囲うように四角枠状に突設された額縁部５ａとされている。また、額縁部５ａの下部右側には、コントラスト調整スイッチ、輝度調整スイッチなどの各種の操作スイッチなどが配列されているディスプレイ操作部７が設けられている。
【００２３】
なお、表示手段６としては、表示面６ａが図１の二点差線にて示す原稿や書籍などの読取対象物８が載置可能な原稿台としての機能を合わせ持つように、表示面６ａが平面に形成された平面型のもの、例えば、液晶表示パネル、ＥＬ表示パネル、プラズマ表示パネルなどの光学パネルや、平面ブラウン管などの従来公知の各種のものから選択使用することができる。この表示面６ａのサイズとしては、１５型、１７型、２１型などの各種のものから選択使用することができる。
【００２４】
前記ディスプレイ本体３は、ディスプレイケース５の背面側ＲＳの下部がディスプレイ支持台９によって下方から支持されているとともに、ディスプレイ支持台９に対して水平配置されたヒンジ（チルトヒンジ）などからなる角度調整手段１０によって任意の開閉角度に傾いた状態で保持することができるようになっている。
【００２５】
すなわち、ディスプレイ本体３の上部が、正面側ＦＳから見てディスプレイ支持台９との接続部分を中心として前後方向に動くように回動可能に形成されており、例えば、図２の実線にて示すディスプレイ本体３を、図２の二点鎖線にて示す位置に傾斜させることができるようになっている。
【００２６】
したがって、本実施形態のスキャナ付きディスプレイ１においては、ディスプレイ本体３とディスプレイ支持台９とを角度調整手段１０によって接続することで、表示面６ａの設置面とのなす傾斜角度を調節することができるようになっている。
【００２７】
前記ディスプレイ本体３、詳しくは、ディスプレイケース５の正面側ＦＳには、表示面６ａ上に載置された読取対象物８を表示面６ａに固定、詳しくは、読取対象物８の表示面６ａからの脱落防止および移動を防止するための固定手段１１が設けられている。
【００２８】
本実施形態の固定手段１１は、図４に誇張して示すように、ディスプレイケース５の額縁部５ａの下部の上辺に、表示面６ａに対して直交する平坦な載置面１１ａを設けることにより形成されており、読取対象物８を表示面６ａに対して容易に着脱することもできるように構成されている。
【００２９】
なお、固定手段１１としては、表示面６ａ上に載置された読取対象物８を表示面６ａに固定するとともに、読取対象物８を表示面６ａに対して容易に着脱することのできるものであればよく、特に、本実施形態の支持溝に限定されるものではない。
【００３０】
例えば、図５に誇張して示すように、ディスプレイケース５の額縁部５ａの下部の上辺の表示面６ａとの対向部に、読取対象物８の下部が挿脱自在な支持溝１１ｂを設ける構成としてもよい。すなわち、表示面６ａ上に載置された読取対象物８の少なくとも一辺を支持可能な支持溝１１ｂを設ける構成としてもよい。
【００３１】
また、固定手段１１としては、図６に示すように、額縁部５ａの両側面に、額縁部５ａの表面から表示面６ａ上に向かって延出された略平板状あるいはピン状などの左右一対の止め部材１１ｃを設ける構成としてもよい。このような止め部材１１ｃを用いる場合には、止め部材１１ｃを、額縁部５ａの表面に沿って回動可能としたり、止め部材１１ｃの先端部を起倒自在としたりすることができる。さらに、止め部材１１ｃとしては、透明な樹脂などの透明体で形成することが好ましい。なお、止め部材１１ｃの配設位置および数は、設計コンセプトなどの必要に応じて設定すればよい。勿論、止め部材１１ｃを、額縁部５ａに着脱自在としてもよい。また、止め部材１１ｃの先端部を弾性変形可能とし、この先端部を、読取対象物８を介して表示面６ａ上に当接可能な押さえとする構成としてもよい。
【００３２】
さらに、固定手段１１としては、図７に示すように、長手方向に対して直交する幅方向のサイズが表示面６ａの短手方向のサイズより小さく形成された透明弾性体１１ｄ、例えば、伸縮自在な透明バンドとし、この透明弾性体１１ｄの両端を、透明弾性体１１ｄが表示面６ａを水平方向に横切るように、ディスプレイケース５の正面側ＦＳの額縁部５ａに取着する構成としてもよい。この場合、透明弾性体１１ｄの両端を吸盤などによって額縁部５ａに着脱自在としてもよい。なお、透明弾性体１１ｄの両端の取付位置は、ディスプレイケース５の側面であってもよ。さらに、透明弾性体１１ｄが表示面６ａを垂直方向に横切るように配置してもよく、設計コンセプトなどの必要に応じて取付位置を設定することができる。また、透明弾性体１１ｄを複数としたり、透明弾性体１１ｄとして透明シートを用いることもできる。この透明シートを用いる場合には、そのサイズを、表示面６ａのサイズと同等もしくはより大きなサイズとしてもよい。
【００３３】
前記ディスプレイ本体３のその他の構成については、従来公知のディスプレイと同様とされており、その詳しい説明は省略する。
【００３４】
ここで、本実施形態のスキャナ付きディスプレイ１のスキャナ４の構成について、図１〜図３および図８によりさらに説明する。
【００３５】
図８は本発明に係るスキャナ付きディスプレイのスキャナの要部構成を示すブロック図である。
【００３６】
本実施形態のスキャナ４は、ディスプレイ本体３の表示面６ａに表示されている情報である画像情報、あるいは、表示面６ａ上に載置された読取対象物８の情報である画像情報を読み取るためのものであり、図１から図３に示すように、縦長のほぼ直方体状に形成されたスキャナケース１２を備えている。このスキャナケース１２のディスプレイ本体３の表示面６ａ側と対向する面は、読取面１３とされている。この読取面１３の長さは、表示面６ａの少なくとも図１の上下方向に示す短手方向の長さより長く形成されている。また、スキャナケース１２の内部には、図８に示すように、照射手段１４、画像入力手段１５、光学系１６、スキャナ制御部１７、電源１８などが配設されている。
【００３７】
前記照射手段１４は、画像情報の読取状態において、スキャナ４の走査方向であるディスプレイ本体３の左右方向に対して直交する図１の上下方向に沿ってライン状の光を表示面６ａ側に向かって照射するためのものであり、蛍光灯、ランプ、発光ダイオードなどから選択された光源が用いられている。
【００３８】
前記画像入力手段１５は、画像情報を読み取ってその画像データを出力するためのものであり、ＣＣＤラインセンサなどが用いられている。
【００３９】
前記光学系１６は、走査ライン上の画像情報を画像入力手段１５に導くためのものであり、適宜数のミラーおよびレンズなどにより構成されている。
【００４０】
前記スキャナ制御部１７は、スキャナ４の各部の動作の制御を司るものであり、ＣＰＵ、メモリなどにより形成されている。
【００４１】
なお、スキャナ４とコンピュータ２とは、有線あるいは無線にて接続されており、スキャナ４とコンピュータ２との相互間で情報の交換が有線あるいは無線よって行われるように形成されている。
【００４２】
すなわち、スキャナ４は、表示面６ａに表示されている画像情報、あるいは、表示面６ａ上に載置された読取対象物８の画像情報を画像入力手段１５により読み取って、その画像データをコンピュータ２に送出することができるように構成されている。
【００４３】
なお、スキャナ４とコンピュータ２とを有線で接続する場合には、スキャナ４とコンピュータ２とがケーブルによって接続され、スキャナ４とコンピュータ２とを無線で接続する場合には、スキャナ４とコンピュータ２との両者に、情報の交換に必要な通信手段が配置されることになる。
【００４４】
また、スキャナ４は、表示面６ａに表示されている画像情報、あるいは、表示面６ａ上に載置された読取対象物８の画像情報を読み取って、その画像データをプリンタに送出して記録媒体に記録することができるように構成してもよい。
【００４５】
さらに、スキャナ４は、スキャナケース１２に電源１８を配設せずに、外部電源によって稼動するように構成してもよい。但し、電源ケーブルが必要になる。
【００４６】
図１に示すように、スキャナケース１２の図１の下部側には、スキャナ操作部１９が形成されており、このスキャナ操作部１９には、図示しない電源スイッチ、読取動作を実行する際に用いる読取開始スイッチなどの各種の操作スイッチが配列されている。
【００４７】
図１から図３に示すように、前記スキャナケース１２の長手方向の両端部には、ディスプレイ本体３に対してスキャナ４を装着するための側面ほぼＬ字状に形成された一対の装着部２０が設けられている。これらの装着部２０は、図２に示すように、それぞれ、ディスプレイケース５の上面あるいは下面に対して平行に延在するようにスキャナケース１２の端縁から背面側ＲＳに向かって延出形成された水平体２１と、この水平体２１の端縁から直角に延出形成された垂直体２２とを有している。そして、図２の上方に示す一方の装着部２０がディスプレイケース５の上面およびこの上面に続く背面側ＲＳ上部を囲うように装着され、図２の下方に示す他方の装着部２０がディスプレイケース５の下面およびこの下面に続く背面側ＲＳ下部を囲うように装着されている。
【００４８】
前記スキャナ４は、従来公知の移動機構によって手動あるいは自動により、スキャナ４の両装着部２０がディスプレイケース５の上面および下面に沿って移動するように形成されている。このように、ディスプレイケース５の上面および下面に沿ってスキャナ４が左右方向に移動することで、スキャナ４は、表示面６ａ上を、表示面６ａの面に沿って、本実施形態においてはディスプレイ本体３の長手方向である左右方向に走査可能に形成されている。
【００４９】
すなわち、本実施形態においては、スキャナ４の走査方向に対して直交する読取長さが、表示面６ａの少なくとも短手方向の長さより長く形成されており、スキャナ４の走査方向が、表示面６ａの長手方向とされている。
【００５０】
前記スキャナ４の両装着部２０をディスプレイケース５の上面および下面に沿って移動する構成により、本実施形態のスキャナ４の走査方向を規制するための案内手段２３が構成されている。
【００５１】
なお、スキャナ４をディスプレイ本体３の短手方向である上下方向に走査可能に形成してもよい。
【００５２】
また、スキャナ４は、表示面６ａに表示されている情報の視認性を阻害しないように、常時はディスプレイケース５の額縁部５ａの左側あるは右側に配置するとよい。
【００５３】
前記装着部２０には、図３に示すように、表示面６ａとスキャナ４との間隔を調整する間隔調整手段２４が設けられている。この間隔調整手段２４は、表示面６ａ上に載置された読取対象物８が書籍などの厚さの厚いものの場合に、スキャナ４の走査時に、スキャナ４が読取対象物８に接触するのを防止するためのものであり、表示面６ａとスキャナ４の読取面１３との間隔を増減できるものであればよい。
【００５４】
本実施形態の間隔調整手段２４は、装着部２０の水平体２１の長さを伸縮することのできる構成が用いられている。このような間隔調整手段２４としては、固定ピン２５を用いるものや、蛇腹を用いるものを挙げることができる。
【００５５】
ここで、固定ピン２５を用いた間隔調整手段２４の実施形態について図９および図１０により説明する。
【００５６】
図９および図１０は本発明に係るスキャナ付きディスプレイの間隔調整手段の実施形態を示すものであり、図９は要部の拡大平面図、図１０は図９のＡ−Ａ線に沿った断面図である。
【００５７】
図９および図１０に示すように、本実施形態の間隔調整手段２４は、固定ピン２５を用いたものであり、スキャナケース１２に接続された第１水平体２１ａと、垂直体２２に接続された第２水平体２１ｂとの２つの水平体２１を有している。そして、第１水平体２１ａに第２水平体２１ｂが重ねられている。また、第１水平体２１ａには、第１水平体２１ａおよび第２水平体２１ｂの両者を固定する際に用いる固定ピン２５が挿通される複数の第１貫通孔２６ａが、第１水平体２１ａの図９の上下方向に示す長手方向に沿って配列されている。さらに、第２水平体２１ｂには、第１水平体２１ａおよび第２水平体２１ｂの両者を固定する際に用いる固定ピン２５が挿通される少なくとも１つの第２貫通孔２６ｂが形成されている。そして、固定ピン２５を挿入する第１水平体２１ａに形成されている複数の第１貫通孔２６ａの位置を選択することで、装着部２０の水平体２１の長さを伸縮することができるようになっている。
【００５８】
前記スキャナ４のその他の構成については、従来公知のスキャナ４と同様とされており、その詳しい説明は省略する。
【００５９】
なお、スキャナ４に画像データを記憶する着脱自在なメモリカードを搭載可能とし、スキャナ４によって読み取った画像情報の画像データをメモリカードに記憶するように構成してもよい。これにより、スキャナ４によって読み取った画像情報の画像データを後加工して種々の目的に使用することができる。
【００６０】
また、コンピュータ２には、仕様や設計コンセプトなどの必要に応じて他の周辺機器、例えばキーボード、マウス、ＣＤ−ＲＯＭドライブ、プリンタなどが接続可能になっている。
【００６１】
つぎに、前述した構成からなる本実施形態の作用について説明する。
【００６２】
本実施形態のスキャナ付きディスプレイ１は、コンピュータ２に接続され、常時は従来公知の如く、利用者の操作指令などによってコンピュータ２から送出される情報を表示面６ａに画像情報として表示するコンピュータ２用のディスプレイとしての機能が使用される。この場合、表示面６ａの視認性を確保するため、スキャナ４は、表示面６ａの左外側あるいは右外側に配置される。
【００６３】
また、本実施形態のスキャナ付きディスプレイ１は、利用者の必要に応じてスキャナ４の機能が使用される。
【００６４】
例えば、読取対象物８を表示面６ａより小さいサイズの普通紙などの記録媒体とし、この記録媒体の記録面に記録された情報（画像情報）を読み取る場合には、まず、表示面６ａに記録媒体を載置する。この時、記録媒体の読み取りに供する面を表、すなわち、正面側ＦＳとする。また、記録媒体の下辺を載置面１１ａに接触させることで記録媒体を固定する。ついで、スキャナ４に電源１８を投入した後、スキャナ４を手動あるいは自動によって、ディスプレイ本体３の長手方向である左方向あるいは右方向に移動する。これにより、スキャナ４は、表示面６ａに載置した記録媒体の読み取りに供する記録面をディスプレイ本体３の長手方向である左方向あるいは右方向に走査し、記録媒体の読み取りに供する記録面に記録されている情報を画像入力手段１５により読み取って、その画像データをコンピュータ２に出力することができる。
【００６５】
なお、表示面６ａに表示されている情報（画像情報）を読み取る場合には、スキャナ４の電源１８を投入した後、スキャナ４を手動あるいは自動によって、ディスプレイ本体３の長手方向である右方向に移動する。これにより、スキャナ４は、表示面６ａに載置した記録媒体の読み取りに供する記録面をディスプレイ本体３の長手方向である左方向あるいは右方向に走査し、記録媒体の読み取りに供する記録面に記録されている情報を画像入力手段１５により読み取って、その画像データをコンピュータ２に出力することができる。
【００６６】
また、読取対象物８を表示面６ａより小さいサイズの厚さの厚い書籍とし、この書籍の記録面に記録された情報（画像情報）を読み取る場合には、まず、表示面６ａに書籍を載置する。この時、間隔調整手段２４を操作することにより、スキャナ４が書籍に接触するのを防止する。そして、書籍の読み取りに供する面を表、すなわち、正面側ＦＳとし、書籍の下辺を載置面１１ａに接触させることで書籍を固定する。なお、書籍の固定には、図７に示す透明弾性体１１ｄからなる固定手段１１を用いてもよい。さらに、書籍の厚さが厚く、重量が重い場合には、角度調整手段１０によりディスプレイ本体３を回動させて、表示面６ａを水平に近い角度とすることで、書籍を表示面６ａに安定した状態に載置することができる。ついで、スキャナ４の電源１８を投入した後、スキャナ４を手動あるいは自動によって、ディスプレイ本体３の長手方向である左方向あるいは右方向に移動する。これにより、スキャナ４は、表示面６ａに載置した書籍の読み取りに供する面をディスプレイ本体３の長手方向である左方向あるいは右方向に走査し、書籍の読み取りに供する面に記録されている情報を入力手段により読み取って、その画像データをコンピュータ２に出力することができる。
【００６７】
このように、本実施形態のスキャナ付きディスプレイ１によれば、表示面６ａに表示されている画像情報、あるいは、表示面６ａ上に載置された読取対象物８の画像情報を容易かつ確実に読み取ることができる。
【００６８】
また、本実施形態のスキャナ付きディスプレイ１によれば、スキャナ４がディスプレイ本体３に装着されているので、スキャナ４の設置スペースをなくすことができる。
【００６９】
したがって、本実施形態のスキャナ付きディスプレイ１によれば、コンピュータ２の周辺機器として使用することができるとともに、省スペース化を容易に図ることができる。
【００７０】
また、本実施形態のスキャナ付きディスプレイ１によれば、スキャナ４の走査方向に対して直交する読取長さが、表示面６ａの少なくとも短手方向の長さより長く形成されており、スキャナ４の走査方向が、表示面６ａの長手方向に設けられているので、スキャナ４の読取面１３の長さを最も短くすることができる。その結果、スキャナ４の小型化および低コスト化を容易に図ることができる。
【００７１】
さらに、本実施形態のスキャナ付きディスプレイ１によれば、表示面６ａが、平面に形成されているので、スキャナ４によって、表示面６ａに表示されている画像情報、あるいは、前記表示面６ａ上に載置された読取対象物８の画像情報の読み取りを全範囲に亘り確実に行うことができる。これに対して、表示面６ａが、従来のブラウン管のような表面が曲面とされている場合には、画像情報とスキャナ４との間隔が変化するので、全範囲に亘り均一な読み取り品質を確保することができない。
【００７２】
また、本実施形態のスキャナ付きディスプレイ１によれば、ディスプレイ本体３に、表示面６ａ上に載置された読取対象物８を表示面６ａに固定する固定手段１１が設けられているので、読取時に、読取対象物８が動くのを容易かつ確実に防止することができる。その結果、読取対象物８の画像情報の読取品質を高く保持することができる。
【００７３】
また、本実施形態のスキャナ付きディスプレイ１によれば、スキャナ４の走査方向を規制するための案内手段２３が設けられているので、スキャナ４の走査方向を容易かつ確実に確保することができる。
【００７４】
また、本実施形態のスキャナ付きディスプレイ１によれば、スキャナ４に、表示面６ａとスキャナ４との間隔を調整する間隔調整手段２４が設けられているので、表示面６ａ上に載置された読取対象物８の厚さにかかわりなく、スキャナ４による読み取りを行うことができる。
【００７５】
また、本実施形態のスキャナ付きディスプレイ１によれば、表示面６ａの設置面とのなす角度が調節可能に形成されているので、表示面６ａを水平に近い角度に傾斜させることで、読取対象物８を表示面６ａに安定した状態に載置することができる。
【００７６】
また、本実施形態のスキャナ付きディスプレイ１によれば、スキャナ４とコンピュータ２とが有線あるいは無線にて接続されており、スキャナ４とコンピュータ２との相互間で情報の交換が有線あるいは無線よって行われるように形成されているので、スキャナ４により読み込んだ画像情報を、コンピュータ２に容易に送出することができる。
【００７７】
また、本実施形態のスキャナ付きディスプレイ１によれば、スキャナ４が、表示面６ａ側に向かって光を照射するための照射手段１４と、照射手段１４から照射された光であって、表示面６ａの画像情報、あるいは、表示面６ａ上に載置された読取対象物８から反射した反射光により画像情報を読み取って画像データを出力する画像入力手段１５とを有しているので、画像情報を確実に読み取ることができる。
【００７８】
したがって、本実施形態のスキャナ付きディスプレイ１によれば、コンピュータ２の周辺機器として使用することができ、かつ、小型化、省スペース化および使い勝手の向上を容易に図ることができる。
【００７９】
図１１および図１２は本発明に係るスキャナ付きディスプレイの第２実施形態を示すものであり、図１１は要部の正面図、図１２は図１１の側面図である。なお、前述した第１実施形態のスキャナ付きディスプレイと同一ないし相当する構成については図面中に同一の符号を付し、その説明は省略する。
【００８０】
本実施形態のスキャナ付きディスプレイ１Ａは、スキャナ４をディスプレイ本体３に着脱自在としたものである。
【００８１】
すなわち、本実施形態のスキャナ付きディスプレイ１Ａは、図１１に示すように、ディスプレイ本体３のディスプレイケース５の正面側ＦＳの額縁部５ａの上部および下部に、相互に平行に延在する一対のガイドレール３１が設けられている。また、スキャナ４Ａのスキャナケース１２Ａの長手方向の両端部の装着部２０Ａの背面側ＲＳには、それぞれガイドレール３１に沿って移動可能なスライダ３２が取着されている。これらのスライダ３２は、スキャナケース１２Ａの装着部２０Ａもしくはガイドレール３１に対して着脱自在とされており、スキャナ４をディスプレイ本体３に対して着脱することができるようになっている。
【００８２】
前記一対のガイドレール３１およびスライダ３２により、本実施形態のスキャナ４Ａの走査方向を規制するための案内手段２３Ａが構成されている。
【００８３】
なお、両スライダ３２には、前述した第１実施形態のスキャナ４付きディスプレと同様の間隔調整手段２４を設けることが好ましい。
【００８４】
さらに、一対のガイドレール３１をディスプレイケース５の上面および下面に設ける構成としてもよい。
【００８５】
さらにまた、一対のガイドレール３１を、それぞれ吸盤などの吸着手段によってディスプレイケース５に着脱自在に吸着させる構成としてもよい。この場合、ディスプレイ本体３に対して、スキャナ４およびガイドレール３１の両者を着脱することができる。
【００８６】
その他の構成については、前述した第１実施形態のスキャナ付きディスプレイ１と同様とされているので、その詳しい説明は省略する。
【００８７】
このような構成からなる本実施形態のスキャナ付きディスプレイ１Ａによれば、前述した第１実施形態のスキャナ付きディスプレイ１と同様の効果を奏することができるとともに、スキャナ４Ａをディスプレイ本体３に対して容易に着脱することができる。そして、スキャナ４Ａをディスプレイ本体３に対して着脱自在とすることで、利用者の必要に応じてスキャナ４Ａをディスプレイ本体３に装着すればよいので、表示面６ａの視認性を向上することができる。
【００８８】
なお、ガイドレール３１をディスプレイ本体３に対して着脱自在とする構成とすることで、既存のコンピュータ２のディスプレイにスキャナ４Ａを装着することが容易にできる。
【００８９】
図１３および図１４は本発明に係るスキャナ付きディスプレイの第３実施形態の要部を示すものであり、図１３は正面図、図１４はスキャナの要部構成を示すブロック図である。なお、前述した第１実施形態のスキャナ付きディスプレイと同一ないし相当する構成については図面中に同一の符号を付し、その説明は省略する。
【００９０】
本実施形態のスキャナ付きディスプレイ１Ｂは、表示面６ａ上に載置される読取対象物８をＯＨＰ用紙などの透明記録媒体８Ｂに記録された情報とし、この透明記録媒体８Ｂに記録された情報を読み取るようにしするとともに、スキャナ４Ｂの部品点数を削減したものである。
【００９１】
すなわち、図１３に示すように、本実施形態のスキャナ付きディスプレイ１Ｂの表示面６ａには、表示手段６としてバックライト４１を具備する液晶表示パネル６Ｂが用いられている。この液晶表示パネル６Ｂは、背面照明としてのバックライト４１を有しており、このバックライト４１は、ディスプレイケース５の内部において表示面６ａの背面側ＲＳに配置されている。
【００９２】
また、スキャナ４Ｂのスキャナケース１２Ｂの内部には、前述した第１実施形態のスキャナ付きディスプレイ１のスキャナ４の照明手段１４は設けられておらず、図１４に示すように、画像入力手段１５、光学系１６、スキャナ制御部１７、電源１８などが配設されている。
【００９３】
その他の構成については、前述した第１実施形態のスキャナ付きディスプレイ１と同様とされているので、その詳しい説明は省略する。
【００９４】
このような構成からなる本実施形態のスキャナ付きディスプレイ１Ｂによる読取対象物８の読み取り動作について説明する。
【００９５】
本実施形態のスキャナ付きディスプレイ１Ｂの読取対象物８は、表示面６ａ上に載置されるＯＨＰ用紙などの光透過性を有する透明記録媒体８Ｂの記録面に記録された情報とされる。そして、透明記録媒体８Ｂを表示面６ａに載置する。この時、透明記録媒体８Ｂの読み取りに供する面を表、すなわち、正面側ＦＳとする。また、透明記録媒体８Ｂの下辺を載置面１１ａに接触させることで透明記録媒体８Ｂを固定する。勿論、図７に示すような透明弾性体１１ｄからなる固定手段１１を併用してもよい。
【００９６】
ついで、スキャナ４Ｂの電源１８を投入した後、スキャナ４Ｂを手動あるいは自動によって、ディスプレイ本体３の長手方向である右方向に移動する。これにより、スキャナ４は、表示面６ａに載置した透明記録媒体８Ｂの読み取りに供する記録面をディスプレイ本体３の長手方向である左方向あるいは右方向に走査し、透明記録媒体８Ｂの読み取りに供する記録面に記録されている情報を画像入力手段１５により読み取って、その画像データをコンピュータ２に出力することができる。この時、バックライト４１を点灯することで、バックライト４１を図８に示す照射手段１４のかわりに使用する。
【００９７】
このように、本実施形態のスキャナ付きディスプレイ１Ｂによれば、前述した第１実施形態のスキャナ付きディスプレイ１と同様の効果を奏することができるとともに、バックライト４１を、液晶表示パネル６Ｂの背面照明と、スキャナ４Ｂの照明手段１４として兼用することができるので、スキャナ４Ｂの部品点数を削減することができる。その結果、低コスト化を容易に図ることができる。
【００９８】
なお、本実施形態のスキャナ付きディスプレイ１Ｂは、前述した第２実施形態のスキャナ付きディスプレイ１Ａと同様に、スキャナ４Ｂをディスプレイ本体３に着脱自在としてもよい。この場合、表示手段６としてバックライト４１を具備する液晶表示パネル６Ｂを備えた既存のコンピュータのディスプレイにスキャナ４Ｂを装着することができる。
【００９９】
また、本発明は、前述した各実施形態に限定されるものではなく、必要に応じて種々の変更が可能である。
【図面の簡単な説明】
【０１００】
【図１】本発明に係るスキャナ付きディスプレイの第１実施形態の要部を示す正面図
【図２】図１の側面図
【図３】図１の平面図
【図４】図１のスキャナ付きディスプレイの固定手段の要部を誇張して示す模式的側面図
【図５】図１のスキャナ付きディスプレイの固定手段の変形例の要部を誇張して示す図４と同様の図
【図６】図１のスキャナ付きディスプレイの固定手段の他の変形例の要部を示す平面図
【図７】図１のスキャナ付きディスプレイの固定手段のさらに他の変形例の要部を示す平面図
【図８】図１のスキャナ付きディスプレイのスキャナの要部構成を示すブロック図
【図９】図１のスキャナ付きディスプレイの間隔調整手段の実施形態を示す要部の拡大平面図
【図１０】図９のＡ−Ａ線に沿った断面図
【図１１】本発明に係るスキャナ付きディスプレイの第２実施形態を示す要部の正面図
【図１２】図１１の側面図
【図１３】本発明に係るスキャナ付きディスプレイの第３実施形態の要部を示す正面図
【図１４】図１３のスキャナ付きディスプレイのスキャナの要部構成を示すブロック図
【符号の説明】
【０１０１】
１、１Ａ、１Ｂ  スキャナ付きディスプレイ
２  コンピュータ
３  ディスプレイ本体
４、４Ａ、４Ｂ  スキャナ
５  ディスプレイケース
６  表示手段
６ａ  表示面
６Ｂ  液晶表示パネル
８  読取対象物
８Ｂ  透明記録媒体
９  ディスプレイ支持台
１０  角度調整手段
１１  固定手段
１１ａ  載置面
１１ｂ  支持溝
１１ｃ  止め部材
１１ｄ  透明弾性体
１２、１２Ａ、１２Ｂ  スキャナケース
１３  読取面
１４  照明手段
１５  画像入力手段
１６  光学系
１７  スキャナ制御部
１８  電源
２０、２０Ａ  装着部
２３、２３Ａ  案内手段
２４  間隔調整手段
２５  固定ピン
２６ａ  第１貫通孔
２６ｂ  第２貫通孔
３１  ガイドレール
３２  スライダ
４１バックライト
ＦＳ  正面側
ＲＳ  背面側
【図１】
2006098892.tif 000003
【図２】
2006098892.tif 000004
【図３】
2006098892.tif 000005
【図４】
2006098892.tif 000006
【図５】
2006098892.tif 000007
【図６】
2006098892.tif 000008
【図７】
2006098892.tif 000009
【図８】
2006098892.tif 000010
【図９】
2006098892.tif 000011
【図１０】
2006098892.tif 000012
【図１１】
2006098892.tif 000013
【図１２】
2006098892.tif 000014
【図１３】
2006098892.tif 000015
【図１４】
2006098892.tif 000016